(57)【要約】【課題】複数の画像発生装置から同一検査に属する医用画像を受信したときに画像保存装置側で同一検査と判断できるようにした画像情報処理装置及び医用ネットワークシステムを提供する。また、医用画像処理装置のコンピュータのためのプログラムを提供する。【解決手段】この画像情報処理装置は、複数の医用画像発生装置から医用画像を受信し、その受信した医用画像を画像処理してから画像保存装置へ出力でき、受信した医用画像及び付帯情報の少なくとも一方を表示可能な画像表示手段と、同一患者の医用画像が複数の医用画像発生装置から送られてきたとき、予め指定した付帯情報の内容に基づいて複数の医用画像発生装置から受信した医用画像が同一検査に属するか否かを判断する手段と、画像保存装置側で医用画像が同一検査に属するか否かを判断するための付帯情報を自動的に調整する手段と、を備え、調整された付帯情報を医用画像とともに画像保存装置へ出力する。【選択図】　図４
2004097651.tif 000002
【特許請求の範囲】
【請求項１】
複数の医用画像発生装置から医用画像を受信し、その受信した医用画像を画像処理してから画像保存装置へ出力できる画像情報処理装置であって、
前記受信した医用画像及び付帯情報の少なくとも一方を表示可能な画像表示手段と、
同一患者の医用画像が前記複数の医用画像発生装置から送られてきたとき、予め指定した付帯情報の内容に基づいて前記複数の医用画像発生装置から受信した前記医用画像が同一検査に属するか否かを判断する手段と、
前記画像保存装置側で前記医用画像が同一検査に属するか否かを判断するための付帯情報を自動的に調整する手段と、を備え、前記調整された付帯情報を前記医用画像とともに前記画像保存装置へ出力することを特徴とする画像情報処理装置。
【請求項２】
前記判断手段により同一検査に属すると判断された複数の医用画像を前記画像表示手段に表示することを特徴とする請求項１に記載の画像情報処理装置。
【請求項３】
前記調整手段は前記付帯情報の自動的な入力、変更及び削除の内の少なくとも１つを行うことを特徴とする請求項１または２に記載の画像情報処理装置。
【請求項４】
救急患者の画像が送られてきたとき、その救急患者の付帯情報を決定するユーザ編集手段を更に備え、
前記救急患者の付帯情報の決定後に、前記同一検査に属するか否かの判断を行うことを特徴とする請求項１，２または３に記載の画像情報処理装置。
【請求項５】
前記同一検査に属するか否かの判断を外部の情報管理装置で検索して得られた付帯情報に基づいて行うことを特徴とする請求項１乃至４のいずれか１項に記載の画像情報処理装置。
【請求項６】
前記判断は同一検査及び同一シリーズの少なくとも一方に属するか否かについて行われることを特徴とする請求項１乃至５のいずれか１項に記載の画像情報処理装置。
【請求項７】
前記同一患者であるか否かを判断する同一患者判断手段を更に備え、前記同一患者判断手段は、患者ＩＤ、患者名、検査ＩＤ、検査ＵＩＤ、シリーズＩＤ、シリーズＵＩＤ、及び受付番号の内の少なくとも１つの情報に基づいて判断することを特徴とする請求項１乃至６のいずれか１項に記載の画像情報処理装置。
【請求項８】
前記受信した医用画像単位または前記医用画像発生装置の同一患者単位で前記調整された付帯情報を前記医用画像とともに前記画像保存装置へ出力し、次の医用画像を受信すると、前記判断を行い、前記画像保存装置へ出力することを特徴とする請求項１乃至７のいずれか１項に記載の画像情報処理装置。
【請求項９】
請求項１乃至８のいずれか１項に記載の画像情報処理装置と、
前記画像情報処理装置に医用画像を送信する複数の医用画像発生装置と、
前記画像情報処理装置から出力された前記医用画像を同一検査に属するか否かを判断するための付帯情報とともに保存する画像保存装置と、を含むことを特徴とする医用ネットワークシステム。
【請求項１０】
医用画像に関する各種情報を管理する情報管理装置を更に含み、
前記画像情報処理装置が前記同一検査に属するか否かの判断を前記情報管理装置で検索して得られた付帯情報に基づいて行うことを特徴とする請求項９に記載の医用ネットワークシステム。
【請求項１１】
複数の医用画像発生装置から医用画像を受信し、その受信した医用画像を画像処理してから画像保存装置へ出力できる画像情報処理装置が備えるコンピュータのためのプログラムであって、
前記受信した医用画像及び付帯情報の少なくとも一方を画面に表示するステップと、前記複数の医用画像発生装置から送られてきた医用画像が同一患者のものであるか否かを判断するステップと、同一患者の医用画像であるとき、予め指定した付帯情報の内容に基づいて前記複数の医用画像発生装置から受信した前記医用画像が同一検査に属するか否かを判断するステップと、前記画像保存装置側で前記医用画像が同一検査に属するか否かを判断するための付帯情報を自動的に調整するステップと、前記調整された付帯情報を前記医用画像とともに前記画像保存装置へ出力するステップと、を前記コンピュータに実行させることを特徴とするプログラム。
【請求項１２】
前記同一検査に属すると判断された複数の医用画像を前記画面に表示するステップを更に前記コンピュータに実行させることを特徴とする請求項１１に記載のプログラム。
【請求項１３】
前記調整ステップでは前記付帯情報の自動的な入力、変更及び削除の内の少なくとも１つを行うことを特徴とする請求項１１または１２に記載のプログラム。
【請求項１４】
救急患者の画像が送られてきたとき、その救急患者の付帯情報を決定するステップを更に前記コンピュータに実行させ、
前記救急患者の付帯情報の決定後に、前記同一検査に属するか否かの判断を行わせることを特徴とする請求項１１，１２または１３に記載のプログラム。
【請求項１５】
前記同一検査に属するか否かの判断を外部の情報管理装置で検索して得られた付帯情報に基づいて行わせることを特徴とする請求項１１乃至１４のいずれか１項に記載のプログラム。
【請求項１６】
前記判断を同一検査及び同一シリーズの少なくとも一方に属するか否かについて行わせることを特徴とする請求項１１乃至１５のいずれか１項に記載のプログラム。
【請求項１７】
前記同一患者であるか否かを判断するステップを更に前記コンピュータに実行させ、患者ＩＤ、患者名、検査ＩＤ、検査ＵＩＤ、シリーズＩＤ、シリーズＵＩＤ、及び受付番号の内の少なくとも１つの情報に基づいて前記同一患者であるか否かを判断させることを特徴とする請求項１１乃至１６のいずれか１項に記載のプログラム。
【請求項１８】
前記受信した医用画像単位または前記医用画像発生装置の同一患者単位で前記調整された付帯情報を前記医用画像とともに前記画像保存装置へ出力し、次の医用画像を受信すると、前記判断を行い、前記画像保存装置へ出力させることを特徴とする請求項１１乃至１７のいずれか１項に記載の画像情報処理装置。
【発明の詳細な説明】
【０００１】
【発明の属する技術分野】
本発明は、複数の医用画像発生装置から医用画像を受信し、その受信した医用画像を画像処理してから画像保存装置へ出力可能な画像情報処理装置、医用ネットワークシステム及び画像情報処理装置のためのプログラムに関する。
【０００２】
【従来の技術】
従来、放射線画像等の医用画像を取り扱う画像情報処理装置では、放射線画像等の医用画像を画像発生装置から受信し、受信した医用画像の表示や画像処理を画像単位で行っている。そして、その医用画像は画像サーバ等の画像保存装置へ画像単位で送信され、画像保存装置で画像毎に管理されて保存される。この場合、単一の画像発生装置から連続して同一患者の画像を受信した場合、画像保存装置において同一検査にまとめることができる。
【０００３】
【特許文献１】
特開２００２−１３３３９４公報
【０００４】
しかし、複数の画像発生装置に同一検査の画像があった場合、画像保存装置側では別々で管理されるので、それらが同一検査とは分からない。仮に、同一検査の他の画像があると分かっても、その画像を探し出すことは事実上不可能である。また、画像情報処理装置や画像保存装置で、同一検査にするためには、ユーザが一つ一つ変更する必要があり、間違え易く、面倒で手間がかかってしまう。
【０００５】
【発明が解決しようとする課題】
本発明は、上記従来技術の問題に鑑み、複数の画像発生装置から同一検査に属する医用画像を受信したときに画像保存装置側で同一検査と判断できるようにした画像情報処理装置及び医用ネットワークシステムを提供することを目的とする。また、医用画像処理装置のコンピュータのためのプログラムを提供することを目的とする。
【０００６】
【課題を解決するための手段】
上記目的を達成するために、本発明による画像情報処理装置は、複数の医用画像発生装置から医用画像を受信し、その受信した医用画像を画像処理してから画像保存装置へ出力できる画像情報処理装置であって、前記受信した医用画像及び付帯情報の少なくとも一方を表示可能な画像表示手段と、同一患者の医用画像が前記複数の医用画像発生装置から送られてきたとき、予め指定した付帯情報の内容に基づいて前記複数の医用画像発生装置から受信した前記医用画像が同一検査に属するか否かを判断する手段と、前記画像保存装置側で前記医用画像が同一検査に属するか否かを判断するための付帯情報を自動的に調整する手段と、を備え、前記調整された付帯情報を前記医用画像とともに前記画像保存装置へ出力することを特徴とする。
【０００７】
この画像情報処理装置によれば、複数の画像発生装置から同一検査に属する医用画像を受信したとき、かかる複数の医用画像について画像保存装置側で要求される同一検査を示す付帯情報に調整（変更等）されて送られるため、画像保存装置側で同一検査と判断できる。従って、画像保存装置では、同一検査としての画像表示、リスト表示、管理などの後々の医用画像の運用サービス等が容易に実施できるようになる。
【０００８】
この場合、画像情報処理装置では、前記判断手段により同一検査に属すると判断された複数の医用画像を前記画像表示手段に表示することで、同一検査に属する複数の医用画像をまとめて表示できるので、同一検査の複数の医用画像の確認が容易となる。
【０００９】
また、前記調整手段は前記付帯情報の自動的な入力、変更及び削除の内の少なくとも１つを行うようにできる。
【００１０】
また、上記画像情報処理装置に救急患者の画像が送られてきたとき、その救急患者の付帯情報を決定するユーザ編集手段を更に備え、前記救急患者の付帯情報の決定後に、前記同一検査に属するか否かの判断を行うことが好ましい。
【００１１】
また、前記同一検査に属するか否かの判断を外部の情報管理装置で検索して得られた付帯情報に基づいて行うようにしてもよい。
【００１２】
また、上記画像情報処理装置における前記判断は同一検査及び同一シリーズの少なくとも一方に属するか否かについて行われるようにしてもよい。即ち、複数の医用画像発生装置から受信した医用画像が同一シリーズに属するか否かを判断するようにしてもよく、この場合、同一検査及び同一シリーズの両方について判断するようにしてもよい。
【００１３】
なお、「同一検査」とは、同一患者の関連した一連の検査を意味し、「同一シリーズ」とは、同一患者の検査を所定のカテゴリーで分類したものである。従って、複数の医用画像を階層構造的に同一検査・同一シリーズの両方に分類して管理するようにできる。
【００１４】
また、上記画像情報処理装置において、前記同一患者であるか否かを判断する同一患者判断手段を更に備え、前記同一患者判断手段は、患者ＩＤ、患者名、検査ＩＤ、検査ＵＩＤ、シリーズＩＤ、シリーズＵＩＤ、及び受付番号の内の少なくとも１つの情報に基づいて判断することが好ましい。
【００１５】
また、前記受信した医用画像単位または前記医用画像発生装置の同一患者単位で前記調整された付帯情報を前記医用画像とともに前記画像保存装置へ出力し、次の医用画像を受信すると、前記判断を行い、前記画像保存装置へ出力するようにしてもよい。
【００１６】
本発明による医用ネットワークシステムは、上記画像情報処理装置と、前記画像情報処理装置に医用画像を送信する複数の医用画像発生装置と、前記画像情報処理装置から出力された前記医用画像を同一検査に属するか否かを判断するための付帯情報とともに保存する画像保存装置と、を含むことを特徴とする。
【００１７】
この医用ネットワークシステムによれば、上記画像情報処理装置が複数の画像発生装置から同一検査に属する医用画像を受信したとき、かかる複数の医用画像について画像保存装置側で要求される同一検査を示す付帯情報に調整（変更等）して送るので、画像保存装置側で同一検査と判断できる。従って、画像保存装置では、同一検査としての画像表示、リスト表示、管理などの後々の医用画像の運用サービス等が容易に実施できるようになる。
【００１８】
この場合、画像情報処理装置では、前記判断手段により同一検査に属すると判断された複数の医用画像を前記画像表示手段に表示することで、同一検査に属する複数の医用画像をまとめて表示できるので、同一検査の複数の医用画像の確認が容易となる。
【００１９】
また、医用画像に関する各種情報を管理する情報管理装置を更に含み、前記画像情報処理装置が前記同一検査に属するか否かの判断を前記情報管理装置で検索して得られた付帯情報に基づいて行うようにできる。
【００２０】
本発明によるプログラムは、複数の医用画像発生装置から医用画像を受信し、その受信した医用画像を画像処理してから画像保存装置へ出力できる画像情報処理装置が備えるコンピュータのためのプログラムであって、前記受信した医用画像及び付帯情報の少なくとも一方を画面に表示するステップと、前記複数の医用画像発生装置から送られてきた医用画像が同一患者のものであるか否かを判断するステップと、同一患者の医用画像であるとき、予め指定した付帯情報の内容に基づいて前記複数の医用画像発生装置から受信した前記医用画像が同一検査に属するか否かを判断するステップと、前記画像保存装置側で前記医用画像が同一検査に属するか否かを判断するための付帯情報を自動的に調整するステップと、前記調整された付帯情報を前記医用画像とともに前記画像保存装置へ出力するステップと、を前記コンピュータに実行させることを特徴とする。
【００２１】
このプログラムによれば、上記各ステップを含む画像情報処理方法を画像情報処理装置のコンピュータに実行させることで、複数の画像発生装置から同一検査に属する医用画像を受信したとき、かかる複数の医用画像について画像保存装置側で要求される同一検査を示す付帯情報に調整（変更等）されて送るように実行させるため、画像保存装置側で同一検査と判断できる。従って、画像保存装置では、同一検査としての画像表示、リスト表示、管理などの後々の医用画像の運用サービス等が容易に実施できるようになる。
【００２２】
また、前記同一検査に属すると判断された複数の医用画像を前記画面に表示するステップを更に前記コンピュータに実行させることで、同一検査に属する複数の医用画像をまとめて表示できるので、同一検査の複数の医用画像の確認が容易となる。
【００２３】
また、前記調整ステップでは前記付帯情報の自動的な入力、変更及び削除の内の少なくとも１つを行うことが好ましい。また、救急患者の画像が送られてきたとき、その救急患者の付帯情報を決定するステップを更に前記コンピュータに実行させ、前記救急患者の付帯情報の決定後に、前記同一検査に属するか否かの判断を行わせることが好ましい。
【００２４】
また、前記同一検査に属するか否かの判断を外部の情報管理装置で検索して得られた付帯情報に基づいて行わせるようにできる。また、前記判断を同一検査及び同一シリーズの少なくとも一方に属するか否かについて行わせるようにできる。
【００２５】
また、前記同一患者であるか否かを判断するステップを更に前記コンピュータに実行させ、患者ＩＤ、患者名、検査ＩＤ、検査ＵＩＤ、シリーズＩＤ、シリーズＵＩＤ、及び受付番号の内の少なくとも１つの情報に基づいて前記同一患者であるか否かを判断させることが好ましい。
【００２６】
また、前記受信した医用画像単位または前記医用画像発生装置の同一患者単位で前記調整された付帯情報を前記医用画像とともに前記画像保存装置へ出力し、次の医用画像を受信すると、前記判断を行い、前記画像保存装置へ出力させるるようにしてもよい。
【００２７】
【発明の実施の形態】
以下、本発明による実施の形態の医用ネットワークシステムについて図面を用いて説明する。図１は本発明の実施の形態による医用ネットワークシステムの構成を示す図である。
【００２８】
図１の医用画像情報処理装置５０は、被写体（患者）の放射線画像情報が記録された輝尽性蛍光体パネルを励起光で走査して発光させ、その光をフォトマルチプライヤで光電変換することによりまたはＸ線フラットパネルディテクタを用いて画像情報を得るＣＲ（ｃｏｍｐｕｔｅｄ　ｒａｄｉｏｇｒａｐｈｙ）等の撮像モダリティにより生成され発生した医用画像を受信し、画像処理を実施した後に医用画像を外部装置に出力したり、その画像表示装置２２（図２）の画面に表示するように構成されている。
【００２９】
図１に示すように、医用画像情報処理装置５０は、上記ＣＲにより医用画像を生成し発生させる医用画像発生装置５１，５６と、ＣＴ（ｃｏｍｐｕｔｅｄ　ｔｏｍｏｇｒａｐｈｙ：コンピュータ断層撮影装置）　により医用画像を生成し発生させる医用画像発生装置５７，５９と、放射線科医師が画像を参照し診断を行うための診断用端末５２と、画像を参照するための（診断は行わない）参照用端末５３と、画像データベースに画像ファイルを保管するとともに診断用端末５２及び参照用端末５３等から画像を検索し読み出すことができる画像保存装置（画像サーバ）５４と、医用画像発生装置５１または医用画像情報処理装置５０からの画像情報をフィルムや紙等の記録媒体に可視画像として出力するイメージャ（プリンタ）５５と共に医用ネットワークシステムを構成している。
【００３０】
図１の医用ネットワークシステムでは、各装置がネットワーク１０を介してオンライン接続され、情報を互いに送信しかつ受信できるようになっている。更に、ネットワーク１０には、ＨＩＳ（病院情報システム）／ＲＩＳ（放射線部情報システム）５８が接続されている。例えば、医用画像情報処理装置５０はＨＩＳ／ＲＩＳ５８で患者の情報を検索し、その医用画像に付帯する付帯情報を検索することができる。
【００３１】
次に、図１の医用画像情報処理装置５０に関する次の事項Ａ〜Ｈを順に詳細に説明する。
Ａ．装置構成
Ｂ．情報
Ｃ．ファイル
Ｄ．主な情報の入力・表示
Ｅ．画像確認手順
Ｆ．出力
Ｇ．出力画像の形成
Ｈ．ユーティリティ機能
【００３２】
Ａ．装置構成
図２は医用画像情報処理装置５０の内部構成を示すブロック図である。
【００３３】
ａ．図２に示すように、医用画像情報処理装置５０は、放射線画像撮影システム全体の動作を制御する主制御装置２１と、画像発生装置５１等からの画像ファイルを受信する受信部４０と、ハードディスクやＲＡＭ等から構成され受信した画像ファイル等の情報を記憶する保存部４１と、画像ファイル中の画像情報について画像処理を行う画像処理部４２と、外部装置に出力するための出力画像を形成する出力画像形成部４３と、受信した画像の画像確認等のために縮小画像を画像表示装置２２に表示させる画像確認処理部４５と、ＣＲＴディスプレイや液晶パネル等からなり画像及びその付帯情報等の各種画像データを表示する画像表示装置２２と、を備える。
【００３４】
主制御装置２１により各部分４０〜４３，４５及び画像表示装置２２等が制御される。医用画像情報処理装置５０の入力キーボード及びマウス等の操作部２１ｂ（図３）から各種情報を主制御装置２１等に入力できる。
【００３５】
ｂ．医用画像情報処理装置５０の機能は次のとおりであり、各機能は主制御装置２１により制御される。
▲１▼医用画像発生装置５１等より画像ファイルを受信部４０で受信する。
▲２▼画像ファイルを保存部４１に一時保存する。
▲３▼画像品質を画像確認処理部４５で作成した縮小画像で確認する。
▲４▼画像処理部４２で画像処理を実施する。
▲５▼出力画像形成部４３で出力画像を形成する。
▲６▼出力画像をネットワーク１０を介して画像サーバ５４等の外部装置へ転送する。
【００３６】
Ｂ．情報
医用画像情報処理装置５０で取り扱う情報は以下の５つに分類できる。
【００３７】
ａ．条件情報
画像ファイルを受信して、処理された画像ファイルとして画像サーバ５４等の外部装置へ出力するための条件情報であり、次のものが含まれる。
（ａ）画像処理情報
画像処理部４２における階調処理、周波数処理に関する情報である。
（ｂ）出力装置情報
画像データを再生・出力する画像サーバ５４等の外部装置に関する情報であり、画像サーバ５４等の出力装置毎に出力領域、拡大縮小率、出力フォーマット（マルチフォーマット、分割撮影フォーマット）、オーバーレイ、階調処理及び周波数処理の有無等を指定する。
（ｃ）オーバーレイ情報
ＡＰ／ＰＡ・Ｒ／Ｌ・コメント等のオーバーレイの有無・位置等の情報がある。
（ｄ）特殊指定
プロテクトの情報：画像出力後も、プロテクトを外すまで画像ファイルを保存する。
保留（ペンディング）の情報：転送を保留する。後で画像を見直してから転送したい場合に指定する。
優先（緊急）の情報：緊急撮影の場合など優先的に出力したい場合に指定する。キューの先頭に登録される。
【００３８】
ｂ．患者情報
患者に関する情報である。
（ａ）患者ＩＤ情報
患者ＩＤ番号、氏名、性別、生年月日等が含まれる。
（ｂ）オーダー情報
医師が撮影依頼をする情報である。
患者の状態に関する情報、検査依頼に関する日時・方法の指示等が含まれる。
【００３９】
ｃ．実施情報
受信、画像処理した結果に関する情報である。
（ａ）受信結果　撮影日時等が含まれる。
（ｂ）画像処理結果
画像処理パラメータ算出結果であり、出力時にこの結果に基づき画像データを画像処理する。
（ｃ）システム情報
撮影が行われた時点でのシステム構成等、システム情報の一部が含まれる。
【００４０】
ｄ．システム情報
（ａ）図１のシステムを管理・制御するための情報。
（ｂ）図１のシステムの構成（接続されている画像サーバ５４等の外部装置、その名称）。
（ｃ）図１のシステムを構成する機器を制御するためのパラメータ、テーブル。
（ｄ）入力装置である医用画像発生装置５１、５６，５７に関する設定情報
（ｅ）イメージャ５５の情報、ＨＯＳＴ情報等、出力装置に関する設定情報。
【００４１】
ｅ．画像データ
（ａ）医用画像発生装置５１より受信した画像データ。
（ｂ）画像確認のために画像データより作成した表示用縮小画像データ
（ｃ）画像確認処理部４５での表示用縮小画像の画像処理のための画像処理用縮小画像データ。
（ｄ）階調処理、周波数処理等を施した出力画像データ。
【００４２】
Ｃ．ファイル
医用画像情報処理装置５０で取り扱うファイルは保存部４１に保存され、以下の７つに分類できる。
【００４３】
ａ．条件ファイル
条件キーは画像ファイルに対する画像処理条件、出力条件をあらかじめセットしておくキーである。条件キー毎に対応した条件ファイルを持つ。条件ファイルは上記条件情報で構成される。撮影部位（肺野、腹部、頭部等）、撮影体位（立位、臥位等）、撮影方向（正面、側面等）、患者の特徴（性別、年齢、体格等）、病名、使用する技師等により分類し、それぞれに対応した名称、撮影情報をあらかじめ設定しておく。そして、主制御装置２１は、複数に分類した各分類毎に、条件ファイル群を設定し、設定された条件ファイル群毎に複数の条件ファイルを設定し、保存部４１に保存する。画像受信時にもっとも適した条件を一つ選ぶ。
【００４４】
ｂ．画像ヘッダファイル
受信後、画像ヘッダファイルが作成される。画像ヘッダはその撮影の予約ファイル（すなわち撮影情報、患者情報）、撮影実施情報で構成される。ユーザが撮影情報、患者情報、撮影実施情報を参照、変更する場合は画像ヘッダファイルを参照する。
【００４５】
ｃ．縮小画像ファイル
画像データを何分の一かに縮小した画像データである。
（ａ）表示用縮小画像データ
図２の画像表示装置２２に表示されるデータは、この表示用縮小画像を使用する。
（ｂ）画像処理用縮小画像データ
画像処理を実施するためのパラメータを算出する縮小画像データである。縮小率は縮小後の１画素があらかじめ指定された同一長さになるように決定する。これにより読取画素サイズの違いを縮小後の画像で補正できる。画像処理パラメータの算出は、画像処理用縮小画像で行われ、画像データは使用しない。
【００４６】
ｄ．画像ファイル
（ａ）画像ファイルは、付帯情報（画像ヘッダ）と画像データで構成される。
（ｂ）画像ヘッダは条件情報、患者情報、実施情報で構成される。
ユーザが条件情報、患者情報、実施情報を参照し、変更する場合は画像ヘッダを参照する。
【００４７】
ｅ．出力画像ファイル
周波数処理・階調処理・オーバーレイ・回転・拡大縮小のうち指定された処理を施した出力画像データのファイルである。
【００４８】
ｆ．システムファイル
上記システム情報をファイル化したものである。
【００４９】
Ｄ．主な情報の入力・表示
【００５０】
ａ．受信画像情報表示
受信画像をサムネイル表示する。
【００５１】
ｂ．出力情報表示
▲１▼出力サイズ、向き、トリミング位置、出力位置、拡大縮小方法等を指定する。あらかじめ条件ファイルに登録する。
▲２▼条件キーが選択されると、あらかじめ指定された条件で出力領域、出力画像領域が決定され、画像表示装置２２の画面上に表示される。画像表示装置２２の画面上の出力領域表示エリアの大きさを出力における最大出力領域とする。出力領域、出力画像領域を、出力領域表示エリアにグラフィック表示する。これにより、適切な出力領域、出力画像領域の選択、確認を装置毎に行うことができる。
【００５２】
ｃ．オーバーレイ情報
▲１▼「ＡＰ」、「ＰＡ」、「Ｒ」、「Ｌ」、コメント、目盛り等をオーバーレイするか否か、どの位置にオーバーレイするかを指定する。あらかじめ条件ファイルに登録する。
▲２▼画像表示装置２２の画面の出力領域表示エリアに、出力画像を表示し、そこにオーバーレイ情報をグラフィック表示する。
▲３▼適切なオーバーレイの選択、位置の指定をできる。
▲４▼オーバーレイに隠れて見えない部分が無いことを確認できる。オーバーレイにより診断に不都合が生じる場合は移動できる。
【００５３】
ｄ．ＲＩＳからのオンライン情報入出力
▲１▼医師からのオーダーを入力する。入力したオーダーを、本システムのフォーマットに変換し予約ファイルに保存する。撮影部位、撮影方法を対応する撮影条件キーで変換する。
▲２▼画像ヘッダファイルをＲＩＳ側フォーマットに変換し出力する。
【００５４】
ｅ．画像リスト
画像ファイルをリストとして表示することができる。
【００５５】
Ｅ．画像確認手順
ａ．画像確認時のシステムの動作
（１）画像ファイルを医用画像発生装置５１より受信し、保存部４１に格納する。
（２）保存部４１の記憶媒体に格納された画像ファイルは、画像確認処理部４５であらかじめ指定された縮小率で縮小される。
（３）順次、縮小画像が画像表示装置２２の画面に表示される。
（４）受信及び表示終了後、デジタル画像情報は撮影条件キーによってあらかじめ指定された方法で画像処理され画像表示装置２２に再表示される。画像処理のパラメータの決定には縮小画像が使用される。
（５）画像表示装置２２に順次、表示され、表示終了後階調処理された画像を再表示する。
（６）オペレータが、画像表示装置２２に表示される受信画像を見て正常画像と判断した場合は、文字情報入力装置より受信終了を確認するためのキーを入力し画像確認は終了する。
（７）患者情報、画像処理方法、出力方法等を変更したい場合には、文字情報入力装置から新たな情報を入力することができる。
（８）画像確認キーが押されるとその画像の画像確認は終了し自動的に次の画像が表示される。
（９）画像に問題がある場合は、画像処理の変更することができる。保留として、後で詳細な画像処理の変更が可能である。
（１０）画像確認キーが入力されると画像確認は終了し、以下の処理がされる。
▲１▼画像ファイルが確認済み画像ファイルとして保存部４１に保存される。
▲２▼画像確認が終了した画像は外部装置への出力のためにキューに登録される。
▲３▼次に受信された画像ファイルが表示されて、画像確認可能となる。
（１１）保留キーが入力されると画像確認は終了する。
【００５６】
Ｆ．出力
▲１▼出力は受信、画像確認とは非同期に行われる。
▲２▼キューは外部装置毎に作られて管理され、それぞれのキューは互いに独立に動作し、影響し合わない。したがって出力は装置毎に非同期に行われる。
▲３▼画像がどの外部装置のキューに登録されているかは保存部４１にキュー登録テーブルとして保存され、キューへの登録、削除毎に更新されて管理される。
▲４▼キューに登録された画像は登録された順に外部装置に出力され、出力が終了した画像はキューから削除される。
▲５▼出力を実行するときには、キューに登録されている番号から、保存部４１に記憶されている画像ファイルを特定する。
▲６▼画像ファイルに保存されている条件で出力画像が形成される。画像ヘッダは出力装置毎に決められるフォーマットに変換され、画像データと共に転送される。
【００５７】
Ｇ．出力画像の形成
【００５８】
ａ．出力画像は、出力画像形成部４３で主に以下の処理で形成される。
▲１▼保存部４１から画像用メモリへ、画像データを読み出す。
▲２▼周波数処理を行う。
▲３▼イコライゼーション処理
▲４▼階調処理を行う
▲５▼画像の回転を行う
▲６▼ミラー反転を行う
▲７▼拡大縮小を行う
▲８▼オーバーレイを行う
【００５９】
ｂ．▲２▼〜▲８▼は実行するかどうかを条件情報で出力装置毎に指定できる。
【００６０】
ｃ．▲２▼〜▲８▼の指定された処理をした画像データを処理済み画像データファイルとして保存することを指定できる。各出力装置への出力画像の共通処理部分の再処理をなくす。
【００６１】
ｄ．例えば、各出力装置への出力画像の拡大縮小率が違う場合、▲６▼まで処理済みの画像を保存しておけば、別装置へ転送する場合、▲６▼まで処理済みの画像を読み出し、▲７▼▲８▼のみ処理を行い転送することで、▲２▼〜▲６▼での時間を短縮できる。
【００６２】
ｅ．▲５▼▲６▼を▲２▼▲３▼▲４▼のいずれかと同時に実行する。メモリのアクセスが減り、処理時間を短縮できる。
【００６３】
Ｈ．ユーティリティ機能
【００６４】
ａ．ユーザのためのユーティリティとしていくつかの機能を持つ。
ユーティリティ機能はパスワードにより、一般ユーザ、マネージャー、メーカー毎に機能が制限される。特に画像に関する情報の変更は、セキュリティのためにマネージャーのパスワードを必要とする。
【００６５】
ｂ．画像ファイル操作
▲１▼画像ファイルリストが表示され、保存されている画像に関する情報が受信順に画像表示装置２２に表示される。
▲２▼リスト中から所望の画像を選択すると、患者情報、条件情報、画像が画像確認時の画面と同様の形態で表示される。
▲３▼患者情報、画像処理方法、出力方法等を変更することができる。
▲４▼撮影時に「保留」を指定された画像は、ここで再確認することで「保留」が解除される。
▲５▼各外部装置へ出力するかどうか、出力順を変更できる。
【００６６】
ｃ．撮影記録、照射録
▲１▼撮影情報、患者情報を統計処理し、撮影記録、照射録としてユーザに提供する。
▲２▼指定された期間の撮影部位毎の撮影数、一日に撮影した撮影条件のリスト等を出力できる。
【００６７】
ｄ．カスタマイズ
画面、操作性をユーザ毎にカスタマイズできる。
【００６８】
次に、図１，図２の医用画像情報処理装置が複数の画像発生装置から受信した同一患者の医用画像が同一検査に属するか否かの判断を行い画像保存装置側で同一検査と判断できるようにした装置構成及び動作について図面を参照して説明する。
【００６９】
図３は図１，図２の医用画像情報処理装置５０において同一検査に属するか否かの判断を行うための制御系を示すブロック図であり、図４は画像保存装置側で同一検査と判断できるように医用画像が同一検査に属するか否かの判断を行う動作の各ステップを示すフローチャートであり、図５は複数の画像発生装置から同一検査に属する医用画像を受信した医用画像情報処理装置から画像保存装置側に出力する流れを示す図である。
【００７０】
図３に示すように、図１，図２の医用画像情報処理装置５０は、受信部４０で受信した画像ファイルを各種の付帯情報とともに記憶し保存する保存部４１から入力された画像情報をその付帯情報に含まれる項目に基づいて組分けする画像組分け部２１ａを備える。
【００７１】
図３の画像組分け部２１ａは、具体的には、入力した画像情報の患者が既に受信した画像情報の患者と同一であるか否かの判断を行い組分けし、更に、同一患者の画像情報であったとき、その画像情報が同一検査に属するか否かの判断を行い組分けするようになっている。更に、画像組分け部２１ａは、その画像情報が同一検査に属する場合、所定の内容の同一検査を示す付帯情報を変更、削除等により保存部４１に入力し保存する。この保存部４１に保存された画像及び同一検査を示す付帯情報は、出力画像形成部４３の出力部４３ａから画像保存装置５４に出力する。
【００７２】
また、画像組分け部２１ａは上記各判断を行うに当たり、必要な付帯情報をネットワーク１０を介して接続されたＨＩＳ／ＲＩＳ５８で検索して取得できるようになっている。また、救急患者であるか否かの組分けも行い、救急患者の場合、ユーザが操作部２１ｂから患者情報や検査情報を編集し手動で入力できる。
【００７３】
次に、図１乃至図３の医用画像情報処理装置５０の動作について図４のフローチャートを参照して説明する。
【００７４】
まず、画像発生装置５１，５６，５７，５９のいずれかから画像情報及びその付帯情報を受信すると（Ｓ０１）、画像表示装置２２の画面に表示する（Ｓ０２）。そして、その受信画像が救急患者であるか否かを判断する（Ｓ０３）。この判断は、例えば、患者ＩＤ：９９９９は、救急患者などと予め決めておくことで実行できる。そして、ユーザが、付帯情報（患者情報・検査情報）を入力し、決定する（Ｓ０４）。
【００７５】
次に、救急患者でも一般の患者の場合でも、受信した患者の画像と同一の患者の画像が他の画像発生装置５１，５６，５７，５９から受信している（受信していた）か否かを判断する（Ｓ０５）。この判断は図３の画像組分け部２１ａが保存部４１に保存してある画像データに基づいて行うことができる。
【００７６】
そして、保存部４１に同一患者の画像が保存してあった場合、その受信画像をその保存されていた同一患者の画像と比較して予め決めておいた付帯情報の内容から同一検査か否かを画像組分け部２１ａが判断することで、複数の画像発生装置からの同一患者の受信画像が同一検査に属するか否かを判断する（Ｓ０６）。
【００７７】
次に、同一検査の画像がある場合、その受信画像に、その同一検査と同じ内容の予め決められた同一検査を示す付帯情報を入力、変更、削除等により調整して保存部４１に保存する（Ｓ０７）。
【００７８】
そして、次の画像情報を受信したか否かを確認し（Ｓ０８）、次の受信画像があれば、上記ステップＳ０２に戻り、以下同様の動作を行う。このようにして、連続して同一検査の画像が送られてくるとは限らないので画像受信を例えば所定時間内で繰り返し、所定時間を基準にし、所定時間を経過するとタイムアウトということで、次のステップＳ０９に移る。また、時間基準ではなく、所定枚数を基準にし、その枚数を受信すると、次のステップＳ０９に移るようにしてもよい。
【００７９】
以上のようにして、医用画像情報処理装置５０が複数の画像発生装置５１，５６，５７，５９から、図５のように、画像及び付帯情報を含む画像データを繰り返して受信し、複数の画像を同一検査に分けて保存部４１に一時的に保存する。そして、図５のように、同一検査に分けられた複数の画像及び付帯情報をまとめて画像保存装置５４に出力する（Ｓ０９）。この付帯情報には同一検査であることを示す情報を含むので、画像情報の管理が便利となり、画像保存装置５４に保存した同一検査の画像を必要に応じて読み出したり、まとめてリスト表示したり、同一検査の画像を同時に表示する等のことが簡単に実行できる。
【００８０】
また、図５のように、同一検査でまとめた後、医用画像情報処理装置５０側で上述のような画像保存装置５４への出力と連動して画像表示装置２２における画像表示を変更してもよく、例えば、画像や付帯情報を同一検査毎にまとめてリスト表示したり、同一検査の画像を同時に表示等できる。
【００８１】
次に、図１乃至図３の医用画像情報処理装置５０の別の動作について図６のフローチャートを参照して説明する。図６では、同一患者の画像があった場合に、外部のＨＩＳ／ＲＩＳ５８で、その患者の情報を検索し、そこから得た付帯情報に基づいて同一検査か判断し、更に同一シリーズか判断するようにしたものである。
【００８２】
即ち、画像発生装置５１，５６，５７，５９のいずれかから画像情報及びその付帯情報を受信すると（Ｓ１１）、画像表示装置２２の画面に表示する（Ｓ１２）。そして、受信した患者の画像と同一の患者の画像が他の画像発生装置５１，５６，５７，５９から受信している（受信していた）か否かを判断し（Ｓ１２）、同一患者の画像があった場合に、ネットワーク１０を介してＨＩＳ／ＲＩＳ５８に接続し、そこでその患者の情報を検索する（Ｓ１４）。
【００８３】
次に、保存部４１に同一患者の画像が保存してあった場合、その受信画像をその保存されていた同一患者の画像と比較して予め決めておいた付帯情報の内容から同一検査か否かを画像組分け部２１ａが判断することで、複数の画像発生装置からの同一患者の受信画像が同一検査に属するか否かを判断する（Ｓ１５）。そして、上述の同一検査の判断と同様にして受信画像が同一シリーズに属するか否かを判断する（Ｓ１６）。同一検査（同一シリーズ）の画像がある場合、その受信画像に、その同一検査（同一シリーズ）と同じ内容の予め決められた同一検査（同一シリーズ）を示す付帯情報を入力、変更、削除等により調整して保存部４１に保存する（Ｓ１７）。
【００８４】
そして、次の画像情報を受信したか否かを確認し（Ｓ１８）、次の受信画像があれば、上記ステップＳ０２に戻り、以下同様の動作を行う。このようにして画像受信を例えば所定時間内で繰り返し、所定時間を基準にし、所定時間を経過するとタイムアウトということで、次のステップＳ１９に移る。また、時間基準ではなく、所定枚数を基準にし、その枚数を受信すると、次のステップＳ１９に移るようにしてもよい。
【００８５】
以上のようにして、図５のように画像及び付帯情報を含む画像データを繰り返して受信し、複数の画像を同一検査に分けて保存部４１に一時的に保存し、同一検査に分けられた複数の画像及び付帯情報をまとめて画像保存装置５４に出力する（Ｓ１９）。この付帯情報には同一検査であることを示す情報を含むので、画像情報の管理が便利となり、画像保存装置５４に保存した同一検査の画像を必要に応じて読み出したり、まとめてリスト表示することが可能となる。
【００８６】
なお、上述のステップＳ１４における検索では、予め検索し患者の情報を取得し保存部４１に一時的に保存しておいてもよく、その場合、定期的に通信を行い保存情報を更新しておくようにしてもよい。
【００８７】
また、図６では、上述の同一検査の判断と同様にして受信画像が同一シリーズに属するか否かを判断するので、同一検査の判断と同一シリーズの判断とを適用することで、複数の画像情報を階層構造的に同一検査・同一シリーズの両方に分類して管理することができる。なお、図４においても、同様に、受信画像が同一シリーズに属するか否かを判断するようにしてもよい。
【００８８】
なお、「同一検査」とは、同一患者の関連した一連の検査、例えば同一の検査内容・撮影部位などを意味し、「同一シリーズ」とは、同一患者の検査を所定のカテゴリー、例えば同一の撮像カテゴリー（例えば、ＣＲ）で分類したものである。
【００８９】
また、上述の図４，図６では、医用画像情報処理装置５０では、同一検査（同一シリーズ）に属する複数の画像を画像表示装置２２の画面にまとめて表示できる。このため、同一検査の複数の医用画像の確認が容易となる。
【００９０】
以上のように、図４，図６の実施の形態によれば、複数の画像発生装置５１，５６，５７，５９から受信した複数の画像について画像保存装置５４側で要求される同一検査を示す付帯情報に調整（変更等）されて送られるため、画像保存装置５４側で同一検査と判断できる。従って、画像保存装置５４では、同一検査としての画像表示、リスト表示、管理などの後々の医用画像の運用サービス等が容易に実施できるようになる。かかる同一検査の判断及び付帯情報の調整は自動的に行われるため、間違いが入り込まず、ユーザは従来の運用方法を変えることなく、使用することができ、これらの効果を得ることができる。
【００９１】
なお、図２、図３の医用画像情報処理装置５０の保存部４１には、上述の図４、図６の各フローチャートにおける各ステップを実行できるようにプログラミングされたプログラムが格納されており、主制御装置２１が必要に応じてプログラムを読み出し、そのプログラムを実行することができる。
【００９２】
次に、図４のステップＳ０５及び図６のステップＳ１３における同一患者か否かの判断方法の具体例について説明する。即ち、受信した画像の次のいずれか１つの付帯情報が同じであるか否かで判断する。また、２つまたは３以上で判断するようにしてもよい。
（１）患者ＩＤ
（２）患者名
（３）検査ＩＤ
（４）検査ＵＩＤ
（５）シリーズＩＤ
（６）シリーズＵＩＤ
（７）受付番号
【００９３】
次に、図４のステップＳ０６及び図６のステップＳ１５における同一検査であるか否かの判断方法の具体例について説明する。
（１）同一患者
（２）同一検査依頼医師
（３）同一検査日
（４）同一種の画像発生装置から受信
（５）検査情報で指定装置から受信（撮影依頼に複数の画像発生装置が指定：ＡＥ名で判別など）
（６）検査情報で、検査内容・撮影部位から判断。
（７）同一依頼科からの画像受信
（８）時間的に連続してきた場合
【００９４】
受信した画像の上述の付帯情報（１）乃至（８）のいずれか１つ、または、２つ（例えば（５）と（６））または３つ以上を組み合わせて判断する。また、必要であれば、ＨＩＳ／ＲＩＳ５８で検索して上述のような必要な情報を取得してから判断する。
【００９５】
なお、（５）は、一検査が、例えば、ＡＥ名：ＤＥＶ１の装置と、ＡＥ名：ＤＥＶ２で撮影することが登録されていた場合である。（６）は、一検査が、例えば、胸部を２枚、頭部を１枚と登録されている場合である。
【００９６】
次に、図４のステップＳ０７及び図６のステップＳ１６における同一検査を示す付帯情報の調整（入力、変更、削除等）方法の具体例について説明する。なお、どのような付帯情報で同一検査とみなすかは、画像保存装置側の設定に依存するので、その設定情報を予め画像保存装置から取得しておく。
【００９７】
（１）情報の付加の例
【００９８】
同一患者及び検査内容・撮影部位（胸部と頭部）から同一検査と判断した例
【００９９】
・画像発生装置５６からの受信画像が、Ａさんの画像であり、検査ＵＩＤ：１２．３４であり、次の画像で同一検査と判断したので、検査ＩＤ：５５５を付加した。
【０１００】
・画像発生装置５７からの受信画像が、同一のＡさんの画像であり、検査ＵＩＤ：９８．７６であり、両画像を同一検査と判断したので、検査ＩＤ：５５５を付加を付加した。
【０１０１】
従って、両画像は同一（５５５）の検査ＩＤを有するので、同一検査に属するとみなすことが可能となる。
【０１０２】
なお、検査ＵＩＤとは、ＤＩＣＯＭで規定されている検査を一意に判断できるデータであって、上記例では、検査内容・撮影部位から胸部と頭部と判断できる。また、上記例では、上記例では検査ＩＤに同一の数字を付加したが、検査ＵＩＤも同一にすることもある。
【０１０３】
（２）情報の変更の例
【０１０４】
同一患者及び同一装置種から受信したので同一検査と判断した例
・画像発生装置５１からの受信画像がＡさんの画像であり、検査ＵＩＤ：１２．３４）である。
・画像発生装置５６からの受信画像が同一のＡさんの画像であり、検査ＵＩＤ：９８．７６である。上記装置と同一装置種（ＣＲ）であり、両画像を同一検査と判断し、検査ＵＩＤ：１２．３４と変更した。
【０１０５】
従って、両画像は、同一の検査ＵＩＤを有するので、同一検査に属するとみなすことが可能となる。
【０１０６】
（３）情報の削除の例
【０１０７】
同一患者及び検査ＵＩＤが同一なので同一検査と判断し受付番号を削除した例・画像発生装置５１からの受信画像がＡさんの画像であり、受付番号：０１、検査ＵＩＤ：１２．３４である。
・画像発生装置５６からの画像が同一のＡさんの画像であり、受付番号：０２、検査ＵＩＤ：１２．３４である。検査ＵＩＤが同一であり、両画像を同一検査と判断し、受付番号を削除した。受付番号は、画像発生装置における単なるシリアル番号であり、出力を受ける画像保存装置では検査の判断材料となるため削除した。
【０１０８】
（４）ＨＩＳ／ＲＩＳとの通信による情報の調整例
【０１０９】
ＨＩＳ／ＲＩＳに問い合わせて検査情報で指定装置の情報（ＡＥ名：ＤＥＶ１と、ＡＥ名：ＤＥＶ３と、ＡＥ名：ＤＥＶ４）を得て、同一患者及び検査情報で指定装置から受信したので同一検査と判断した例
【０１１０】
・画像発生装置５１からの受信画像がＡさんの画像であり、検査ＵＩＤ：１２．３４）である。
【０１１１】
・画像発生装置５６からの受信画像が同一のＡさんの画像であり、検査ＵＩＤ：３４．５６である。
【０１１２】
・画像発生装置５７からの受信画像が同一のＡさんの画像であり、検査ＵＩＤ：５６．７８である。
【０１１３】
・画像発生装置５９からの受信画像が同一のＡさんの画像であり、検査ＵＩＤ：７８．９０）である。
【０１１４】
画像発生装置５１、５７，５９が、ＡＥ名で、ＤＥＶ１、ＤＥＶ３、ＤＥＶ４にそれぞれ対応するので、画像発生装置５１、５７，５９からの各画像が同一検査と判断し、検査ＵＩＤ：４４．５５を変更した。画像発生装置５６からの画像は別検査と判断した。
【０１１５】
なお、検査ＵＩＤは、ＲＩＳから取得するか、また、医用画像情報処理装置自身で発行するようにできる。
【０１１６】
また、上述のようにして、複数の画像を同一検査に分けた後、画像単位（シリーズ単位）に別にして管理する情報の例について説明する。これにより、画像保存装置側で保存された画像運用等を容易に実施できるようになる。
【０１１７】
（１）同一検査内でシリーズ単位（複数画像である場合あり）毎に別ＩＤまたはインスタンスＵＩＤを変更し付加する。
【０１１８】
（２）同一検査または同一シリーズ内で画像ごとに画像番号を連番として変更し付加する。この連番は、受信順や撮影日時順等により付けることができる。
【０１１９】
以上のように本発明を実施の形態により説明したが、本発明はこれらに限定されるものではなく、本発明の技術的思想の範囲内で各種の変形が可能である。例えば、医用画像発生装置５１，５６，５７，５９は、上述のＣＲやＣＴ以外の撮像モダリティであってもよく、例えば、ＭＲＩ（ｍａｇｎｅｔｉｃ　ｒｅｓｏｎａｎｃｅ　ｉｍａｇｉｎｇ：核磁気共鳴映像装置）、ＤＲ（ｄｉｇｉｔａｌ　ｒａｄｉｏｇｒａｐｈｙ：デジタルラジオグラフィー）、ＵＳ（ｕｌｔｒａｓｏｕｎｄ：超音波診断装置）などの撮像モダリティ用の医用画像発生装置であってもよいことは勿論であり、また、本発明による医用ネットワークシステムにこれらの各医用画像発生装置をそれぞれ接続するようにしてもよい。
【０１２０】
また、図４，図６における出力のタイミングに関し、上述のように所定時間内で受信を繰り返し、同一検査か否かを判断し所定時間が経過すると、図５のようにまとめて画像保存装置に出力していたが、本発明はこれに限定されず、例えば、図７のように、受信画像単位（または医用画像発生装置の同一患者単位）で、随時出力し、その付帯情報（＝患者名、同一と判断した内容、同一にするために調整した値（検査ＵＩＤとか））を記憶しておき、他の医用画像発生装置から受信したとき（同じ医用画像発生装置から別タイミングでしたときも）、図４，図６と同様に同一検査か否かの判断を行い、画像保存装置に出力するようにしてもよい。
【０１２１】
【発明の効果】
本発明によれば、複数の画像発生装置から同一検査に属する医用画像を受信したときに画像保存装置側で同一検査と判断できるようにした画像情報処理装置及び医用ネットワークシステムを提供できる。また、かかる医用画像情報処理装置のコンピュータに実行させるのためのプログラムを提供できる。
【図面の簡単な説明】
【図１】本実施の形態による医用ネットワークシステムの構成を示す図である。
【図２】図１の画像処理装置の構成を示すブロック図である。
【図３】図１，図２の医用画像情報処理装置５０において同一検査に属するか否かの判断を行うための制御系を示すブロック図である。
【図４】図１の画像保存装置側で同一検査と判断できるように医用画像が同一検査に属するか否かの判断を行う動作の各ステップを示すフローチャートである。
【図５】図１の複数の医用画像発生装置から同一検査に属する医用画像を受信した医用画像情報処理装置から画像保存装置側に出力する流れを示す図である。
【図６】図１の画像保存装置側で同一検査と判断できるように医用画像が同一検査に属するか否かの判断を行う別の動作の各ステップを示すフローチャートである。
【図７】図１の複数の医用画像発生装置から医用画像を受信した医用画像情報処理装置から画像保存装置側に出力する流れの別の例を示す図である。
【符号の説明】
５０　　　・・・医用画像情報処理装置
２２　　　・・・画像表示装置
５１，５６・・・医用画像発生装置
５７，５９・・・医用画像発生装置
５４　　　・・・画像保存装置
２１ａ　　・・・画像組分け部
４１　　　・・・保存部
５８　　　・・・ＨＩＳ／ＲＩＳ（情報管理装置）
【図１】
2004097651.tif 000003
【図２】
2004097651.tif 000004
【図３】
2004097651.tif 000005
【図４】
2004097651.tif 000006
【図５】
2004097651.tif 000007
【図６】
2004097651.tif 000008
【図７】
2004097651.tif 000009